(57)【要約】  本発明は、ユーザがイヤホン装置を耳用器具に固定することで、多様な仕事をしながら音楽などを聞いていても、外部音を聞くことが可能なので、事故を予め防止できると共に、ユーザのスタイルまたは環境に応じて多様な装身具を交替して活用することができる、多様な器具及び装身具の固定ができる耳用器具に関する。【選択図】図１
2018507571.tif 000002
【特許請求の範囲】
【請求項１】
多様な器具及び装身具がユーザの耳に着用される耳用器具において、
第１の胴体（１００）と、一端が前記第１の胴体とヒンジ結合して回転される第２の胴体（１１０）と、
一面が前記第２の胴体（１１０）の他端に結合され、耳用器具（１０）がユーザの耳に着用される際、ユーザの耳の後部に結合して、前記耳用器具（１０）がユーザの耳に固定される「ｃ」字状の第１の固定部材（２００）で構成され、
前記第１の胴体（１００）と前記第２の胴体（１１０）がヒンジ形式で結合されており、
前記第１の胴体（１００）と前記第２の胴体（１１０）が外部から力が加えられれば他端の間が広くなってユーザの耳に挿入され、外部から加えられる力が除去されれば、前記第１の胴体（１００）と前記第２の胴体（１１０）の他端、及び前記第１の固定部材（２００）が前記耳に係合して固定されることを特徴とする、多様な器具及び装身具の固定ができる耳用器具。
【請求項２】
前記第１の胴体（１００）または前記第２の胴体（１１０）の一側面に設けられるものであって、多様な器具及び装身具が固定される第１のリング部材（３００）を更に含んで構成されることを特徴とする、請求項１に記載の多様な器具及び装身具の固定ができる耳用器具。
【請求項３】
一面が前記第１の胴体（１００）の一側面に結合され、前記耳用器具（１０）がユーザの耳に着用される際、ユーザの耳の内側面の溝に挿入され、前記耳用器具（１０）がユーザの耳に固定される「ｃ」字状の第２の固定部材（２５０）を更に含んで構成され、
前記第２の固定部材（２５０）は、前記耳用器具（１０）がユーザの耳に着用される際、前記第１の固定部材（２００）と前記第２の固定部材（２５０）との間にユーザの耳が挿入されることで、安定的に前記耳用器具（１０）が着用されることを特徴とする、請求項１に記載の多様な器具及び装身具の固定ができる耳用器具。
【請求項４】
一面が前記第１の胴体（１００）の一側面に結合され、前記耳用器具（１０）がユーザの耳に着用される際、ユーザの耳の内側の外部の溝に挿入され、前記耳用器具（１０）がユーザの耳に固定されるものであって、長さ方向に沿って貫通孔が形成されている「ｃ」字状の第３の固定部材（２７０）と、
前記第３の固定部材（２７０）の貫通孔に沿って動くように設けられることで、多様な器具及び装身具が固定される第２のリング部材（３５０）と、を更に含んで構成され、
前記第３の固定部材（２７０）は、前記耳用器具（１０）がユーザの耳に着用される際、前記第１の固定部材（１００）と前記第３の固定部材（２７０）との間にユーザの耳が挿入されることで、安定的に前記耳用器具（１０）が着用されることを特徴とする、請求項１または３に記載の多様な器具及び装身具の固定ができる耳用器具。
【請求項５】
外部から加えられる力によって変形され、自体の弾性力により復元される構造を有するものであって、一側が前記第１の胴体（１００）に結合され、他側が前記第２の胴体（１１０）に結合される第１の弾性体（４００）を更に含んで構成され、前記第１の弾性体（４００）は、前記第１の胴体（１００）と前記第２の胴体（１１０）の他端の間を互いに広げる力が除去されれば、自体の弾性力により前記第１の胴体（１００）と前記第２の胴体（１１０）の他端が互いに当接するようにすることを特徴とする、請求項１に記載の多様な器具及び装身具の固定ができる耳用器具。
【請求項６】
前記第１の弾性体（４００）は、
「８」字状のゴム部材であって、一側の孔に前記第１の胴体（１００）の一側が挿入され、他側の孔に前記第２の胴体（１１０）の一側が挿入されて固定されることを特徴とする、請求項５に記載の多様な器具及び装身具の固定ができる耳用器具。
【請求項７】
棒部材状であって、前記第１の胴体（１００）と前記第２の胴体（１１０）の一側に結合される固定台（１５０）を更に含んで構成され、
前記固定台（１５０）は、前記第１の弾性体（４００）が係止して固定されることを特徴とする、請求項５に記載の多様な器具及び装身具の固定ができる耳用器具。
【発明の詳細な説明】
【技術分野】
【０００１】
本発明は、ユーザの使用環境に応じて、ユーザの耳への多様な器具及び装身具の使用を可能にする耳用器具に関する。
【背景技術】
【０００２】
一般的に、耳用器具には、イヤリングなどの装身具をユーザの耳に固定させたり、またはユーザが耳に刺して音楽などの音響を聞くために使っているイヤホンなど、多様な耳用器具がある。また、産業の高度発展によって発明された各種の電子チップや移動通信端末、イヤセット、ＭＰ３プレーヤーなどの携帯型電子機器を耳に固定させる用途として使われている器具もある。
【０００３】
その中で、既存のイヤホン装置は、ユーザがイヤホンを耳に刺して、音響装置から出てくる音にだけ集中する場合もあったが、大部は音楽などを聞きながら、他の多様な仕事、例えば、業務、読書、勉強、あるいは運動などのようなことを並行していた。ところが、ユーザがイヤホンを耳に刺せば、イヤホンが耳に挿入され、イヤホンから出てくる音以外の外部音は殆ど聞き取れなくなり、ユーザに危険を与えてしまうこともあった。特に、ユーザがイヤホンを耳に刺したままでジョギング、自転車などのような室外運動をする場合、外部音が聞けなくなれば事故につながることもあった。また、イヤホンを通じて長期間に亘って大きいボリュームの音楽のみを聞く場合、耳の内部の鼓膜にも良くない影響が与えられるという問題もあった。
【０００４】
上記のような問題を解決するために、本願の出願人は、大韓民国特許出願第１０−２０１５−００２９２２０号を提案したことがあるが、本願の出願人が提案した発明すら、外部の衝撃によってよく抜けられてしまう問題があり、多様な装身具を活用することに問題があった。
【０００５】
すなわち、従来の耳用器具は、それぞれの用途に合って製作されていたため、ユーザがそれぞれの用途に合う器具を別途に購入すべきだったのであり、場合によってそれぞれの用途に合う器具を同時に着用すべきであった場合もあるところ、この時には着用が非常に煩わしいという問題があった。よって、本発明が属する技術分野では、このような問題点を解決できるような方案が切実に要求されていた。
【発明の概要】
【発明が解決しようとする課題】
【０００６】
本発明は、上記のような問題点を解決するために提案されたものであって、本発明の目的は、ユーザがイヤホン装置を耳に刺して多様な仕事をしながら音楽などを聞いていても、外部音を聞くことが可能なので、事故を予め防止できると共に、ユーザのスタイルまたは環境に応じて多様な装身具及び機器が同時に使用及び交替活用できる、多様な器具及び装身具の固定ができる耳用器具を提供することにその目的がある。
【課題を解決するための手段】
【０００７】
上記のような目的を達成するために、本願発明は、多様な器具及び装身具がユーザの耳に着用される耳用器具において、第１の胴体と、一端が前記第１の胴体とヒンジ結合して回転される第２の胴体と、一面が前記第２の胴体の他端に結合され、耳用器具がユーザの耳に着用される際、ユーザの耳の後部に結合して、前記耳用器具がユーザの耳に固定される「ｃ」字状の第１の固定部材２００で構成され、前記第１の胴体と前記第２の胴体がヒンジ形式で結合されており、前記第１の胴体と前記第２の胴体が外部から力が加えられれば他端の間が広くなってユーザの耳に挿入され、外部から加えられる力が除去されれば、前記第１の胴体と前記第２の胴体の他端、及び前記第１の固定部材が前記耳に係合して固定されることを特徴とする、多様な器具及び装身具の固定ができる耳用器具を提供する。
【発明の効果】
【０００８】
本発明には、次のような効果がある。
【０００９】
第一、本発明は、スピーカーを耳孔の内に完全に挿入せずにも耳に付着させることができるため、イヤホンのスピーカーを通じて出てくる音と外部音とを同時に聞くことができ、音が聞こえないことによる事故を予め防止できる効果があると共に、事故の危険のない地域では、スピーカーを耳孔の内に挿入して、外部からの騷音を完全に遮断することで、ひたすら音楽のみを楽しむことができるようになる効果がある。
【００１０】
第二、本発明は、多様な装身具及び機器が同時に耳用器具に設けられることができるため、ユーザのスタイルまたは環境に合って多様な装身具及び機器を容易に交替して使用することができる。
【図面の簡単な説明】
【００１１】
【図１】本願発明である耳用器具を示す斜視図である。
【図２】図１に第１の弾性体が結合されて動作することを示す図である。
【図３】図２の耳用器具に関する分離斜視図である。
【発明を実施するための形態】
【００１２】
以下、添付された図面を参照しながら、本発明による多様な器具及び装身具の固定ができる耳用器具の具体的な内容について詳しく説明する。
【００１３】
図１は、本願発明である耳用器具を示す斜視図であり、図２は、図１に第１の弾性体が結合されて動作することを示す図である。
【００１４】
図３は、図２の耳用器具に関する分離斜視図である。
【００１５】
本願発明は、多様な器具及び装身具の固定ができる耳用器具１０に関する一実施例であって、より詳しくは、多様な器具及び装身具がユーザの耳に着用される耳用器具において、第１の胴体１００と、一端が前記第１の胴体とヒンジ結合して回転される第２の胴体１１０と、一面が前記第２の胴体１１０の他端に結合され、耳用器具１０がユーザの耳に着用される際、ユーザの耳の後部に結合して、前記耳用器具１０がユーザの耳に固定される「ｃ」字状の第１の固定部材２００で構成され、前記第１の胴体１００と前記第２の胴体１１０がヒンジ形式で結合されており、前記第１の胴体１００と前記第２の胴体１１０が外部から力が加えられれば他端の間が広くなってユーザの耳に挿入され、外部から加えられる力が除去されれば、前記第１の胴体１００と前記第２の胴体１１０の他端、及び前記第１の固定部材２００が前記耳に係合して固定されることを特徴とする。
【００１６】
本願発明は、第１の胴体１００、第２の胴体１１０、及び第１の固定部材２００で構成されるものであって、従来に比べて安全に音楽などを聞きながら多様な仕事を並行することができ、ユーザのスタイルまたは環境に合って多様な装身具及び器具が同時に据え置きされて使われ得る耳用器具１０に関する。
【００１７】
一般的に、耳用器具には、イヤリングなどの装身具をユーザの耳に固定させたり、またはユーザが耳に刺して音楽などの音響を聞くために使っているイヤホンなど、多様な耳用器具がある。また、産業の高度発展によって発明された各種の電子チップや移動通信端末、イヤセット、ＭＰ３プレーヤーなどの携帯型電子機器を耳に固定させる用途として使われている器具もある。
【００１８】
その中で、既存のイヤホン装置は、ユーザがイヤホンを耳に刺して、音響装置から出てくる音にだけ集中する場合もあったが、大部は音楽などを聞きながら、他の多様な仕事、例えば、業務、読書、勉強、あるいは運動などのようなことを並行していた。ところが、ユーザがイヤホンを耳に刺せば、イヤホンが耳に挿入され、イヤホンから出てくる音以外の外部音は殆ど聞き取れなくなり、ユーザに危険を与えてしまうこともあった。特に、ユーザがイヤホンを耳に刺したままでジョギング、自転車などのような室外運動をする場合、外部音が聞けなくなれば事故につながることもあった。また、イヤホンを通じて長期間に亘って大きいボリュームの音楽のみを聞く場合、耳の内部の鼓膜にも良くない影響が与えられるという問題もあった。
【００１９】
上記のような問題を解決するために、本願の出願人は、大韓民国特許出願第１０−２０１５−００２９２２０号を提案したことがあるが、本願の出願人が提案した発明すら、外部の衝撃によってよく抜けられてしまう問題があり、多様な装身具を活用することに問題があった。
【００２０】
すなわち、従来の耳用器具は、それぞれの用途に合って製作されていたため、ユーザがそれぞれの用途に合う器具を別途に購入すべきだったのであり、場合によってそれぞれの用途に合う器具を同時に着用すべきであった場合もあるところ、この時には着用が非常に煩わしいという問題があった。よって、本発明が属する技術分野では、このような問題点を解決できるような方案が切実に要求されていた。
【００２１】
本発明は、上記のような問題点を解決するために提案されたものであって、本発明の目的は、ユーザがイヤホン装置を耳用器具に固定することで、多様な仕事をしながら音楽などを聞いていても、外部音を聞くことが可能なので、事故を予め防止できると共に、ユーザのスタイルまたは環境に応じて多様な装身具を交替して活用することができる、多様な器具及び装身具の固定ができる耳用器具を提供することにその目的がある。
【００２２】
本発明は、スピーカーを耳孔の内に完全に挿入せずにも耳に付着させることができるため、イヤホンのスピーカーを通じて出てくる音と外部音とを同時に聞くことができ、音が聞こえないことによる事故を予め防止できる効果があると共に、事故の危険のない地域では、スピーカーを耳孔の内に挿入して、外部からの騷音を完全に遮断することで、ひたすら音楽のみを楽しむことができるようになる効果がある。また、本発明は、多様な装身具及び機器が同時に耳用器具に設けられることができるため、ユーザのスタイルまたは環境に合う多様な器具を容易に交替して使用することができる。
【００２３】
第１の胴体１００と第２の胴体１１０は、耳用器具１０の胴体にあたる構成であって、多様な模様に製作され得るところ、その一例として、第１の胴体１００と第２の胴体１１０は「ｃ」字状の部材に製作され、耳用器具１０がユーザの耳に着用される際、ユーザの耳が第１の胴体１００と第２の胴体１１０との間に挿入されるようにする部材である。第１の胴体１００と第２の胴体１１０は、一端が互いにヒンジ結合して回転される構成である。第１の胴体１００と第２の胴体１１０は、外部から力が加えられれば他端の間が広くなってユーザの耳に挿入され、外部から加えられる力が除去されれば第１の胴体１００と第２の胴体１１０の他端が前記耳に係合して固定されるようにする部材である。第１の胴体１００と第２の胴体１１０は、他端が同じ方向に向かうように配置されて結合される部材である。第１の胴体１００と第２の胴体１１０は、所要される強度を満たせば多様な材料が使われ得る。
【００２４】
第１の固定部材２００は、一面が前記第２の胴体１１０の他端に結合され、耳用器具１０がユーザの耳に着用される際、ユーザの耳の後部に結合して、前記耳用器具１０がユーザの耳に固定される「ｃ」字状の部材である。第１の固定部材２００は、耳用器具１０がユーザの耳に着用される際、ユーザの耳の後部に結合され、前記耳用器具１０がユーザの耳に容易に着脱できるようにすることで、多様な形状に製作されて結合され得る。
【００２５】
その一例として、第１の固定部材２００は、「ｃ」字状の部材であって、一側が前記第２の胴体１１０の他端に結合され、前記耳用器具１０がユーザの耳に着用される際、ユーザの耳の後部に結合され、前記耳用器具１０がユーザの耳に密着して固定され、耳用器具が上下に動くことを防止する役割、及び接触面を広くして耳の痛症を緩和する役割をすることができる。すなわち、耳用器具１０がユーザの耳に固定される際、第２の胴体１１０の他端及び前記第１の固定部材２００と第１の胴体１００の他端の間に耳を挿入して係合させることができる。
【００２６】
本願発明は、棒部材状であって、前記第１の胴体１００と前記第２の胴体１１０の一側に結合される固定台１５０を更に含んで構成され得る。前記固定台１５０は、後述する第１の弾性体４００の両側がそれぞれ係止され、前記第１の胴体１００と前記第２の胴体１１０に固定されるようにする部材である。
【００２７】
第１の固定部材２００は、所要される強度を満たせば多様な材料が使われ得る。
【００２８】
本願発明は、第１の胴体１００または第２の胴体１１０の一側面に設けられるものであって、多様な器具及び装身具が耳用器具１０に固定されるように設けられる第１のリング部材３００を更に含んで構成されることができる。第１のリング部材３００は、多様な器具及び装身具が耳用器具１０に設けられるようにすることができれば多様な形状に製作できるところ、その一例として、円状のリング状に製作されることができる。第１のリング部材３００が円状のリング状である場合、多様な器具の中、イヤホンの一部分がリングの中央部を貫通してイヤホンが耳用器具１０に据え置きされるようにし、装身具の場合、一部分が第１のリング部材３００の貫通孔に挿入されて固定される方法で、多様な装身具が耳用器具１０に据え置きされるようにすることができる。また、他の実施例として、第１のリング部材３００が第１の胴体１００または第２の胴体１１０の外面の両方に結合されており、多様な器具の中、イヤホンの一部分が挿入されて結合されるようにすることができる。
【００２９】
第１のリング部材３００は、所要される強度を満たせば多様な材料が使われ得るところ、製作の便宜のため、前記第１の胴体１００及び第２の胴体１１０の材料と同じ材料が使われ得る。
【００３０】
本願発明は、耳用器具１０がユーザの耳に一層安全に着用されるようにするために、第２の固定部材２５０を更に含んで構成され得る。より詳しくは、本願発明は、一面が前記第１の胴体１００の一側面に結合され、前記耳用器具１０がユーザの耳に着用される際、ユーザの耳の内側面の溝に挿入され、前記耳用器具１０がユーザの耳に固定される第２の固定部材２５０を更に含んで構成されることができる。第２の固定部材２５０は、第１の固定部材２００なしに単独で設けられ、耳用器具１０の着用を助けることができ、または第１の固定部材２００が設けられた耳用器具１０の第１の胴体１００に結合され、耳用器具１０がユーザの耳に安定的に設けられるようにすることができる。すなわち、第２の固定部材２５０は、前記耳用器具１０がユーザの耳に着用される際、前記第１の固定部材２００と前記第２の固定部材２５０との間にユーザの耳が挿入されることで、安定的に前記耳用器具１０が着用されるようにすることができる。
【００３１】
第２の固定部材２５０は、耳用器具１０がユーザの耳に着用される際、ユーザの耳の内側面の溝に結合され、耳用器具１０がユーザの耳に密着して固定され、耳用器具が上下に動くことを防止する役割、及び接触面を広くして耳の痛症を緩和する役割をすることで、多様な形状に製作されて結合されることができる。その一例として、第２の固定部材２５０は、「ｃ」字状の部材であって、外側面の一側が前記第１の胴体１００の一側面に結合され、前記耳用器具１０がユーザの耳に着用される際、ユーザの耳の内側面の溝に挿入され、前記耳用器具１０がユーザの耳に固定されるようにすることができる。
【００３２】
第２の固定部材２５０は、所要される強度を満たせば多様な材料が使われ得る。
【００３３】
本願発明は、耳用器具１０がユーザの耳に一層安全に着用されるようにしながら、結合されるイヤホンのような多様な器具の位置を変更することができる第３の固定部材２７０と第２のリング部材３５０と、を更に含んで構成されることができる。
【００３４】
第３の固定部材２７０は、一面が前記第１の胴体１００の一側面に結合され、前記耳用器具１０がユーザの耳に着用される際、ユーザの耳の内側の外部の溝に挿入され、前記耳用器具１０がユーザの耳に固定されるものであって、長さ方向に沿って貫通孔が形成されている「ｃ」字状の部材である。第３の固定部材２７０は、前記耳用器具１０がユーザの耳に着用される際に、前記第１の固定部材２００と前記第３の固定部材２７０との間にユーザの耳が挿入されることで、安定的に前記耳用器具１０が着用されるようにすることができる。
【００３５】
また、第３の固定部材２７０は、イヤホンのスピーカーのような器具を長さ方向に沿って移動できるようにするガイド役割もすることができる。
【００３６】
第２のリング部材３５０は、第３の固定部材２７０の貫通孔に沿って動くように設けられるものであって、多様な器具及び装身具が固定される部材である。すなわち、第２のリング部材３５０は、イヤホンのスピーカーのような器具が結合された状態で第３の固定部材２７０の長さ方向に沿って動くことができるので、多様な形態でスピーカーを使うことができるようにする。
【００３７】
第３の固定部材２７０と第２のリング部材３５０は、所要される強度を満たせば多様な材料が使われ得る。
【００３８】
本願発明は、外部から加えられる力によって変形され、自体の弾性力により復元される構造を有するものであって、一側が前記第１の胴体１００に結合され、他側が前記第２の胴体１１０に結合される第１の弾性体４００を更に含んで構成されることができる。第１の弾性体５５０は、第１の胴体１００と第２の胴体１１０に固定台が形成されている場合、前記固定台に係止される方法で容易に第１の胴体１００と第２の胴体１１０に固定されることができる。第１の弾性体５５０は、前記第１の胴体１００と前記第２の胴体１１０の他端の間を互いに広げる力が除去されれば、自体の弾性力により前記第１の胴体１００と前記第２の胴体１１０の他端が互いに当接するようにすることができる。
【００３９】
第１の弾性体５５０は、自体の弾性力により復元される構造を有していれば、多様な弾性体が使われ得るところ、その一例として、第１の弾性体５５０は「８」字状のゴム部材であって、一側の孔に前記第１の胴体１００の一側が挿入され、他側の孔に前記第２の胴体１１０の一側が挿入されて固定されるようにすることができる。
【００４０】
以上、本発明による多様な器具及び装身具の固定ができる耳用器具の好ましい実施例について説明したところ、これは少なくとも一つの実施例として説明されたものであり、これによって本発明の技術的思想とその構成及び作用が制限されるわけではなく、本発明の技術的思想の範囲が図面または図面を参照した説明によって限定・制限されない。また、本発明で提示された発明の概念と実施例が、本発明の同一の目的を遂行するために、他の構造に修正や設計するための基礎として、本発明が属する技術分野の通常の知識を持った者によって使われ得るところ、本発明が属する技術分野の通常の知識を持った者による修正または変更された等価構造は、特許請求の範囲に記述されている本発明の技術的範囲に拘束されるものであって、特許請求の範囲に記述されている発明の思想や範囲を超えない限度内で、多様な変化、置換、及び変更が可能である。
【符号の説明】
【００４１】
１０    耳用器具
１００    第１の胴体
１１０    第２の胴体
１５０    固定台
２００    第１の固定部材
２５０    第２の固定部材
２７０    第３の固定部材
３００    第１のリング部材
３５０    第２のリング部材
４００    第１の弾性体
【図１】
2018507571.tif 000003
【図２】
2018507571.tif 000004
【図３】
2018507571.tif 000005
【国際調査報告】
2018507571.tif 000006
2018507571.tif 000007
2018507571.tif 000008
2018507571.tif 000009